(57)【特許請求の範囲】
【請求項１】
複数の支柱と、これら支柱を縦横に連結する複数の横杆と、前記支柱と前記横杆とを連結する連結金具と、から構成される区画枠体と、この区画枠体に設置される仕切りパネルと、から構成される空間区画装置であって、
前記支柱は、木材を成形したものであって、その正面部、背面部、左右側面部に、長さ方向に溝部を形成してあり、
前記横杆は、木材を成形したものであって、その底面部に、長さ方向に溝部を形成し、この溝部の底面に溝部の全長に亘って金属製薄板材を固着してあり、
前記仕切りパネルは、木製又は厚紙製であって、その上面部に、長さ方向に薄板状磁性体を固着してあり、
前記連結金具は、Ｕ字状に折曲した薄肉金属製板材であって、その正面部及び背面部には、先端部の上端部に嵌合用切欠部を、先端部の中間部に挿通孔を穿設してあり、
前記支柱の上端部の側面に前記連結金具の側面部を固着し、
前記横杆の一端部に、前記連結金具の正面部及び背面部を挿入できる狭幅の挿入溝部を形成し、前記連結金具の嵌合用切欠部及び挿通孔に対応する位置に挿通孔を形成し、
前記連結金具の正面部及び背面部を前記横杆の挿入溝部に挿入させ、前記横杆の一の挿通孔に挿通させた挿通ピンを前記連結金具の嵌合用切欠部に嵌合させると共に、前記横杆の他の挿通孔に挿通させた挿通ピンを前記連結金具の挿通孔に挿通させて、前記支柱と前記横杆とを連結する
ことを特徴とする空間区画装置。
【請求項２】
前記区画枠体は、４本の支柱と、これら支柱を連結する４本の横杆とによって、区画枠体の基本単位が構成され、この基本単位を縦横に連結して種々形態の区画枠体が構成されるものであることを特徴とする請求項１に記載の空間区画装置。
【請求項３】
前記区画枠体に設置される構成要素として、前記仕切りパネル以外に、カーテン、吊棚又はハンモックを備えたことを特徴とする請求項１又は２に記載の空間区画装置。
【請求項４】
前記仕切りパネルは、木製又は厚紙製であって、正面板と背面板とを上面板、下面板及び左右側面板によって連結し、内部を空洞としたものであることを特徴とする請求項１乃至３の何れか１項に記載の空間区画装置。
【請求項５】
前記カーテンは、木製の横杆に帯状体を垂下させたものであって、前記横杆の上面部には、上面部の全長に亘って薄板状磁性体を固着したものであることを特徴とする請求項３又は４に記載の空間区画装置。
【請求項６】
前記吊棚は、木製の略Ｈ型を呈する複数の棚体を上下方向に配置し、ワイヤーによって吊下したものであって、前記ワイヤーには可動金具を配設し、この可動金具をワイヤーに沿って上下動させることによって、各棚体の上下方向位置を設定することができ、前記ワイヤーの上端部には円盤状磁性体をフックによって固定したものであることを特徴とする請求項３乃至５の何れか１項に記載の空間区画装置。
【請求項７】
前記ハンモックは、両側部の紐状体に長尺幅広の布状体の両端部を垂下させたものであることを特徴とする請求項３乃至６の何れか１項に記載の空間区画装置。
【発明の詳細な説明】
【技術分野】
【０００１】
本発明は、オフィス空間、居住空間等を適宜空間に区画し、使用者が様々な目的で多用途に利用することができる空間区画装置に関する。
【背景技術】
【０００２】
従来、オフィス空間、居住空間等を使用目的に沿って有効に利用するために、オフィス空間、居住空間等を適宜空間に区画することが行われている。その場合、通常、オフィス空間、居住空間等に仕切壁を構築したり、床面から天井面にかけて固定式のパーティションを設置したり、床面に可動式のパーティションを配置したりして、適宜空間に区画している。
【０００３】
しかし、近年にあっては、オフィス空間、居住空間内に支柱と横杆とから成る区画枠体を構成し、この支柱と横杆に適宜仕切りパネルを設置して、オフィス空間、居住空間等の使用目的が変更になった場合に、容易に区画形態を変更できるようにしたものが提案されている（例えば、特許文献１乃至４参照）。
【先行技術文献】
【特許文献】
【０００４】
【特許文献１】特開２０１１−１０４４１６号公報
【特許文献２】特開２００４−０８４２２２号公報
【特許文献３】特開２００３−２０６５８７号公報
【特許文献４】特開２００３−１８０４５４号公報
【発明の概要】
【発明が解決しようとする課題】
【０００５】
上記特許文献１乃至４に記載された空間区画装置は、支柱と横杆とを組み合わせて区画枠体を構成し、これに仕切りパネルを適宜設置することによって、オフィス空間等を適宜形態に区画することができる。一方、仕切りパネルを取り外し、区画枠体を分解することによって、区画変更を容易にすることができる。
【０００６】
しかし、上記の空間区画装置は、何れも、支柱及び横杆として、アルミニウム等の金属材料を成形したものを使用しており、無機質な材料で空間が区画されるから、使用者にとって暖かみが感じられにくい空間であった。
【０００７】
又、区画変更を容易にすることができるとは言え、支柱と横杆とはボルトによって連結されると共に、仕切りパネルも区画枠体にボルト等によって固定されるので、やはり、区画枠体を構成し、これを分解する作業には時間と労力を要した。
【０００８】
さらに、上記の空間区画装置は、区画枠体に仕切りパネルを設置できるだけであって、区画枠体の配置を変えて区画変更をしたとしても、区画された空間の雰囲気を大幅に変えることはできず、多用途に使用することができにくかった。
【０００９】
本発明は、かかる問題点を解決するために為されたものであって、その目的とするところは、区画された空間に使用者が暖かみを感じて、神経を休めることができ、又、区画枠体を構成し、分解する作業の時間と労力を大幅に低減し、区画された空間の雰囲気を大幅に変えることができて、区画された空間を多用途に使用することができる空間区画装置を提供することにある。
【課題を解決するための手段】
【００１０】
上記目的を達成するために、本発明の空間区画装置は、複数の支柱と、これら支柱を縦横に連結する複数の横杆と、前記支柱と前記横杆とを連結する連結金具と、から構成される区画枠体と、この区画枠体に設置される仕切りパネルと、から構成される空間区画装置であって、
前記支柱は、木材を成形したものであって、その正面部、背面部、左右側面部に、長さ方向に溝部を形成してあり、
前記横杆は、木材を成形したものであって、その底面部に、長さ方向に溝部を形成し、この溝部の底面に溝部の全長に亘って金属製薄板材を固着してあり、
前記仕切りパネルは、木製又は厚紙製であって、その上面部に、長さ方向に薄板状磁性体を固着してあり、
前記連結金具は、Ｕ字状に折曲した薄肉金属製板材であって、その正面部及び背面部には、先端部の上端部に嵌合用切欠部を、先端部の中間部に挿通孔を穿設してあり、
前記支柱の上端部の側面に前記連結金具の側面部を固着し、
前記横杆の一端部に、前記連結金具の正面部及び背面部を挿入できる狭幅の挿入溝部を形成し、前記連結金具の嵌合用切欠部及び挿通孔に対応する位置に挿通孔を形成し、
前記連結金具の正面部及び背面部を前記横杆の挿入溝部に挿入させ、前記横杆の一の挿通孔に挿通させた挿通ピンを前記連結金具の嵌合用切欠部に嵌合させると共に、前記横杆の他の挿通孔に挿通させた挿通ピンを前記連結金具の挿通孔に挿通させて、前記支柱と前記横杆とを連結する
ことを特徴とするものである。
【００１１】
前記区画枠体は、４本の支柱と、これら支柱を連結する４本の横杆とによって、区画枠体の基本単位が構成され、この基本単位を縦横に連結して種々形態の区画枠体が構成されるものであることを特徴とする。
【００１２】
前記区画枠体に設置される構成要素として、前記仕切りパネル以外に、カーテン、吊棚又はハンモックを備えてもよい。
【００１３】
前記仕切りパネルは、木製又は厚紙製であって、正面板と背面板とを上面板、下面板及び左右側面板によって連結し、内部を空洞としたものであってもよい。
【００１４】
前記カーテンは、木製の横杆に帯状体を垂下させたものであって、前記横杆の上面部には、上面部の全長に亘って薄板状磁性体を固着したものであるのが好ましい。
【００１５】
前記吊棚は、木製の略Ｈ型を呈する複数の棚体を上下方向に配置し、ワイヤーによって吊下したものであって、前記ワイヤーには可動金具を配設し、この可動金具をワイヤーに沿って上下動させることによって、各棚体の上下方向位置を設定することができ、前記ワイヤーの上端部には円盤状磁性体をフックによって固定したものであるのが好ましい。
【００１６】
前記ハンモックは、両側部の紐状体に長尺幅広の布状体の両端部を垂下させたものであるのが好ましい。
【発明の効果】
【００１７】
本発明の空間区画装置によれば、区画枠体を構成する支柱、横杆、仕切りパネル、カーテン等の構成部材として、木製材料という有機材料を使用したから、区画された空間内で使用者は暖かみや癒しを感じることができる。
【００１８】
又、横杆の溝部に金属製薄板材を固着し、仕切りパネル、カーテンの上面部に薄板状磁性体を固着して、横杆の金属製薄板材に仕切りパネルの薄板状磁性体を吸着させて設置するようにしたから、区画枠体を構成し、分解する作業の時間と労力を大幅に軽減することができる。
【００１９】
又、挿通ピンを横杆の挿通孔及び連結金具の挿通孔に挿通させ、支柱と横杆を連結させれば、区画枠体を容易に構成できると共に、その逆の手順で、区画枠体を容易に分解することができるから、区画枠体を構成し、分解する作業の時間と労力を大幅に軽減することができる。
【００２０】
さらに、本発明の空間区画装置は、仕切りパネルのみならず、カーテン、吊棚、ハンモックも設置できるようにしたから、区画された空間の雰囲気を種々変えて、面白みを与えることができると共に、区画された空間を多用途に使用することができる。
【図面の簡単な説明】
【００２１】
【図１】本発明の空間区画装置の構成要素である区画枠体の斜視図である。
【図２】図１に示す区画枠体を構成する支柱の（Ａ）は平面図、（Ｂ）は正面図である。
【図３】図１に示す区画枠体を構成する横杆の（Ａ）は側面図、（Ｂ）は底面図である。
【図４】基本単位から成る区画枠体の斜視図である。
【図５】基本単位を縦方向に３単位連結して成る区画枠体の斜視図である。
【図６】基本単位を縦横方向に３単位連結して成る区画枠体の斜視図である。
【図７】基本単位を縦横方向に４単位連結して成る区画枠体の斜視図である。
【図８】本発明の空間区画装置の構成要素である仕切りパネルの斜視図である。
【図９】本発明の空間区画装置の構成要素であるカーテンの斜視図である。
【図１０】本発明の空間区画装置の構成要素である吊棚の（Ａ）は一実施例の斜視図、（Ｂ）は他実施例の斜視図である。
【図１１】本発明の空間区画装置の構成要素であるハンモックの斜視図である。
【図１２】支柱と横杆の連結部における（Ａ）は支柱の上端部の斜視図、（Ｂ）は横杆の一端部の斜視図である。
【図１３】連結金具の（Ａ）は平面図、（Ｂ）は側面図、（Ｃ）は正面図である。
【図１４】連結ピンの正面図である。
【図１５】支柱と横杆の連結部における（Ａ）は平面図、（Ｂ）は正面図である。
【図１６】支柱と横杆の連結部における（Ａ）は支柱の上端部の斜視図、（Ｂ）は横杆の正面部の斜視図、（Ｃ）は横杆の背面部の斜視図である。
【図１７】連結部材の（Ａ）は平面図、（Ｂ）は正面図、（Ｃ）は側面図である。
【図１８】支柱と横杆の連結部における斜視図である。
【図１９】支柱、横杆及び仕切りパネルの連結部における（Ａ）は一部切欠平面図、（Ｂ）は一部切欠正面図である。
【図２０】区画枠体に複数の仕切りパネルを設置した状態の空間区画装置の斜視図である。
【図２１】区画枠体に仕切りパネル、カーテン、吊棚及びハンモックを設置した状態の空間区画装置の斜視図である。
【図２２】支柱及び横杆を自由に組み合せ、自由なレイアウトを採用した区画枠体の斜視図である。
【発明を実施するための形態】
【００２２】
以下、本発明の空間区画装置の好適な実施形態について、図面を参照しつつ詳細に説明する。
【００２３】
本発明の空間区画装置は、支柱２及び横杆３を連結して構成される区画枠体１２、この区画枠体１２に設置される仕切りパネル４、カーテン５、吊棚６、ハンモック７から構成される。
【００２４】
区画枠体１２は、図１に示すように、オフィス空間、居住空間等の床面に立設した複数の支柱２と、これら支柱２の上端部において、支柱２，２間を縦横に連結する複数の横杆３，３とから構成してある。
【００２５】
支柱２は、木材を成形したものであって、図２に示すように、正方形状断面を呈すると共に、正面部、背面部、左右側面部に、長さ方向に溝部２ａを形成してある。
【００２６】
横杆３は、木材を成形したものであって、図３に示すように、長方形状断面を呈すると共に、底面部に、長さ方向に溝部３ａを形成してある。
又、この溝部３ａの底面には、溝部３ａの全長に亘って金属製薄板材３１を固着してある。
【００２７】
区画枠体１２は、以上のような構成であって、図４に示すように、４本の支柱２と、これら支柱２，２の上端部間を連結する４本の横杆３とによって、区画枠体１２の基本単位１が構成される。図４に示すものは、基本単位１の１単位から構成される区画枠体１１である。
【００２８】
そして、この基本単位１を縦方向に２単位連結すれば、図１に示すように、基本単位１の２単位から構成される区画枠体１２が構成される。
【００２９】
又、この基本単位１を縦方向に３単位連結すれば、図５に示すように、基本単位１の３単位から構成される区画枠体１３Ａが構成され、この基本単位１を縦横方向に３単位連結すれば、図６に示すように、基本単位１の３単位から構成される区画枠体１３Ｂが構成される。
さらに、基本単位１を縦横方向に４単位連結すれば、図７に示すように、基本単位１の４単位から構成される区画枠体１４が構成される。
【００３０】
仕切りパネル４は、図８に示すように、木製の板材を成形したものであるが、木製又は厚紙製として、正面板と背面板とを上面板、下面板及び左右側面板によって連結し、内部を空洞としたものであってもよい。これによれば、より軽量化が図れる。
又、仕切りパネル４の上面部４ａには、上面部４ａの全長に亘って薄板状磁性体４１を固着してある。
【００３１】
カーテン５は、図９に示すように、木製の横杆５１に布製又は合成樹脂製の帯状体５２を垂下させたものである。
又、横杆５１の上面部５１ａには、上面部５１ａの全長に亘って薄板状磁性体５３を固着してある。
【００３２】
吊棚６は、図１０（Ａ）に示すように、複数の木製の棚体６１，６１，・・・を上下方向に配置し、ワイヤー６２，６２によって吊下したものである。
棚体６１は、木製の正面板６１ａ、背面板６１ｂ及び連結板６１ｃを連結して、略Ｈ型に形成したものである。
ワイヤー６２，６２には可動金具６３，６３を配設してあり、この可動金具６３，６３をワイヤー６２，６２に沿って上下動させることによって、各棚体６１，６１，・・・の上下方向位置を設定することができる。
又、ワイヤー６２の上端部は、円盤状磁性体６４に連結したフック６５に掛止し、下端部には錘体６６を固着してある。
【００３３】
そして、棚体６１に植物６７を載置したり、上下の棚体６１，６１間に表示パネル６８等を配置したりして、観賞用、展示用等、多用途に利用することができる。
尚、棚体６１に代えて、棚板を使用してもよい。さらに、フック６５を設けず、ワイヤー６２の上端部に直接、円盤状磁性体６４を固着するようにしてもよい。
そして、棚体６１として、図１０（Ｂ）に示すように、異なる長さのものを使用してもよい。この場合にも、棚体６１に代えて、棚板を使用してもよい。
【００３４】
ハンモック７は、図１１に示すように、両側部の紐状体７１，７１に長尺幅広の布状体７２の両端部を垂下させたものである。
【００３５】
次に、図１２乃至図１５を参照して、支柱２と横杆３との連結部の構造及び連結方法について説明する。
【００３６】
支柱２の上端部の側面には、図１２（Ａ）に示すように、連結金具８をボルトによって固着してある。
【００３７】
連結金具８は、ステンレス鋼板等の金属製板材からなり、図１３に示すように、Ｕ字状に折曲した略矩形状を呈する薄肉板材である。
そして、連結金具８の側面部８１には、バーリング加工をしてネジ孔８１ａ，８１ａを形成してある。又、連結金具８の正面部８２及び背面部８３には、先端部の上端部に嵌合用切欠部８２ａ，８３ａを、先端部の中間部に少なくとも２個の挿通孔８２ｂ，８２ｂ，８３ｂ，８３ｂを穿設してある。
【００３８】
一方、横杆３の一端部には、図１２（Ｂ）に示すように、上面から下面に亘って、狭幅の挿入溝部３２，３２を形成してあり、この挿入溝部３２，３２に前記連結金具８の正面部８２及び背面部８３が挿入できるようになっている。
又、横杆３の一端部には、正面から背面に亘って、挿通孔３３ａ，３３ｂ，３３ｂを穿設してあり、この挿通孔３３ａは、前記嵌合用切欠部８２ａ，８３ａと、挿通孔３３ｂ，３３ｂは、前記挿通孔８２ｂ，８２ｂ，８３ｂ，８３ｂと、各々位置が対応するように形成してある。
【００３９】
そして、挿通孔３３ａには、予め、挿通ピン９を挿通し、固定してある。この挿通ピン９としては、図１４に示すように、先端部９ａが漸次縮径するドリフトピンを採用するのが好ましい。
【００４０】
先ず、支柱２の上端部の側面に横杆３の一端部の端面を近付けて、図１５（Ａ）に示すように、連結金具８の正面部８２及び背面部８３を横杆３の挿入溝部３２，３２に挿入させ、図１５（Ｂ）に示すように、横杆３の挿通孔３３ａに挿通、固定した挿通ピン９を連結金具８の嵌合用切欠部８２ａ，８３ａに嵌合させれば、支柱２の上端部の側面に横杆３の一端部の端面を当接させることができる。
【００４１】
次に、横杆３の正面側から挿通孔３３ｂ，３３ｂに挿通ピン９，９の先端部９ａ，９ａを挿入させ、連結金具８の挿通孔８２ｂ，８２ｂを、次いで、連結金具８の挿通孔８３ｂ，８３ｂを挿通させ、挿通ピン９，９の先端部９ａ，９ａを横杆３の挿通孔３３ｂ，３３ｂの背面側まで到達させれば、図１５に示すように、支柱２の上端部の側面に横杆３の一端部の端面を連結させることができる。
【００４２】
一方、適宜工具を使用して、挿通ピン９，９を横杆３の挿通孔３３ｂ，３３ｂ及び連結金具８の挿通孔８２ｂ，８２ｂ，８３ｂ，８３ｂから脱出させれば、上記と逆の手順によって、支柱２の上端部の側面と横杆３の一端部の端面を容易に離反させることができる。
【００４３】
次に、図１６乃至図１８を参照して、支柱２と横杆３との連結部の構造及び連結方法の他実施形態について説明する。
この連結構造及び連結方法は、支柱２の上面に横杆３の底面を載置する形態、横杆３の側面に横杆３の端面を当接する形態において採用される。
【００４４】
支柱２の上端部には、図１６（Ａ）に示すように、上面の中央部から長さ方向に適宜深さＤ１の内径φ１の嵌挿孔２１を穿設してあると共に、側面の中央部から幅方向に、かつ前記嵌挿孔２１と直交するように、挿通孔２２を穿設してある。又、挿通孔２２は、支柱２の上端から距離Ｌ１の位置に形成してある。
【００４５】
一方、横杆３の連結部には、図１６（Ｂ）に示すように、底面の中央部から高さ方向に適宜深さＤ２の内径φ１の嵌挿孔３４を穿設してあると共に、正面から背面に亘って、かつ前記嵌挿孔３４と直交するように、挿通孔３５，３６を穿設してある。又、挿通孔３６は、横杆３の下端から距離Ｌ２の位置に形成してある。
【００４６】
そして、横杆３の挿通孔３５にボルト１０１を挿通させ、ボルト１０１のネジ部を前記連結金具８のネジ孔８１ａに螺合させることによって、図１６（Ｃ）に示すように、横杆３の連結部の背面に連結金具８を仮固定してある。尚、１０２はワッシャーである。
【００４７】
又、横杆３の一端部には、図１６（Ｂ）及び（Ｃ）に示すように、上面から下面に亘って、狭幅の挿入溝部３２，３２を形成してあり、この挿入溝部３２，３２に前記連結金具８の正面部８２及び背面部８３が挿入できるようになっている。
又、横杆３の一端部には、正面から背面に亘って、挿通孔３３ａ，３３ｂ，３３ｂを穿設してあり、この挿通孔３３ａは、前記嵌合用切欠部８２ａ，８３ａと、挿通孔３３ｂ，３３ｂは、前記挿通孔８２ｂ，８２ｂ，８３ｂ，８３ｂと、各々位置が対応するように形成してある。
【００４８】
そして、挿通孔３３ａには、予め、前記挿通ピン９を挿通し、固定してある。この挿通ピン９としては、図１４に示すように、先端部９ａが漸次縮径するドリフトピンを採用するのが好ましい。
【００４９】
さらに、本実施形態の連結構造では、図１７に示すような、中空管状の連結部材１０を使用する。
連結部材１０は、図１７に示すように、その長さＤｐを前記嵌挿孔２１の深さＤ１と前記嵌挿孔３４の深さＤ２との和よりも若干短くしてあり、その外径φｐを前記嵌挿孔２１及び前記嵌挿孔３４の内径φ１より若干小さくしてある。
又、連結部材１０の周面には、軸心に対して直交方向に、挿通孔１０ａ，１０ｂ，１０ｂ，１０ｃを穿設してある。ここで、挿通孔１０ｃは基準点を示すものであって、挿通孔１０ａと挿通孔１０ｃとの距離Ｌａを前記距離Ｌ２と略同一、挿通孔１０ｃと下側の挿通孔１０ｂとの距離Ｌｂを前記距離Ｌ１と略同一としてある。
【００５０】
先ず、図１８に示すように、横杆３の底面から前記嵌挿孔３４に前記連結部材１０の上側部を挿入させた状態で、横杆３の正面からボルト１０１を前記挿通孔３６に挿通させ、次いで、連結部材１０の挿通孔１０ａに挿通させ、ボルト１０１のネジ部を背面に仮固定した前記連結金具８のネジ孔８１ａに螺合させ、横杆３の背面に連結金具８を固定すると共に、連結部材１０を固定する。
【００５１】
次に、支柱２の上面に横杆３の底面を近付けて、図１８に示すように、連結部材１０の下側部を支柱２の上面から前記嵌挿孔２１に挿入させ、支柱２の上面に横杆３の底面を当接させる。
そして、図１８に示すように、支柱２の側面から挿通ピン９を前記挿通孔２２に挿通させ、次いで、前記連結部材１０の挿通孔１０ａに挿通させ、さらに、挿通孔２２に挿通させれば、支柱２の上面に横杆３の底面を載置させ、連結することができる。
【００５２】
次に、横杆３の背面に別の横杆３の一端部の端面を近付け、図１８に示すように、連結金具８の正面部８２及び背面部８３を別の横杆３の挿入溝部３２，３２に挿入させ、別の横杆３の挿通孔３３ａに挿通、固定した挿通ピン９を連結金具８の嵌合用切欠部８２ａ，８３ａに嵌合させれば、図１８に示すように、横杆３の背面に別の横杆３の一端部の端面を当接させることができる。
【００５３】
次に、別の横杆３の正面側から挿通孔３３ｂ，３３ｂに挿通ピン９，９の先端部９ａ，９ａを挿入させ、連結金具８の挿通孔８２ｂ，８２ｂを、次いで、連結金具８の挿通孔８３ｂ，８３ｂを挿通させ、挿通ピン９，９の先端部９ａ，９ａを横杆３の挿通孔３３ｂ，３３ｂの背面側まで到達させれば、図１８に示すように、横杆３の背面に別の横杆３の一端部の端面を連結させることができる。
【００５４】
一方、適宜工具を使用して、挿通ピン９，９を横杆３の挿通孔３３ｂ，３３ｂ及び連結金具８の挿通孔８２ｂ，８２ｂから脱出させ、挿通ピン９を支柱２の挿通孔２２及び連結部材１０の挿通孔１０ｂから脱出させれば、上記と逆の手順によって、支柱２の上面と横杆３の底面、横杆３の背面と別の横杆３の端面を容易に離反させることができる。
【００５５】
本発明の空間区画装置は、以上のような構成であって、以下のようにして、支柱２及び横杆３を連結して区画枠体１２を構成し、この区画枠体１２に仕切りパネル４、カーテン５、吊棚６、ハンモック７を設置することができる。
【００５６】
先ず、図１に示すように、オフィス空間又は居住空間等の床面に支柱２，２，・・・を立設し、支柱２，２間に横杆３を連結するが、その際、図１５に示すように、支柱２の上端部の側面に横杆３の端面を当接し、挿通ピン９，９を挿通させて連結する。又、図１８に示すように、支柱２の上端面に横杆３の底面を当接し、横杆３の背面に別の横杆３の端面を当接し、挿通ピン９，９，９を挿通させて連結する。
以下同様にして、図１に示すように、支柱２，２，・・・の縦横に横杆３，３，・・・を連結して、区画枠体１２を構成する。
【００５７】
次に、図１９に示すように、仕切りパネル４を支柱２と横杆３との連結部の近傍に配置させ、仕切りパネル４を手前に傾斜させた状態としつつ、仕切りパネル４の上面部を横杆３の溝部３ａに挿嵌する。
これによって、仕切りパネル４の上面部に固着した薄板状磁性体４１が、横杆３の溝部３ａに固着した金属製薄板材３１に吸着して、仕切りパネル４を横杆３に設置することができる。
【００５８】
以下同様にして、複数の仕切りパネル４，４，・・・を横杆３に設置すれば、図２０に示すように、区画枠体１２に仕切りパネル４，４，・・・を設置して、仕切りパネル４，４，・・・で区画した空間を画成することができる。
【００５９】
次に、カーテン５を支柱２と横杆３との連結部の近傍に配置させ、カーテン５の横杆５１の上面部５１ａを横杆３の溝部３ａに挿嵌する。
これによって、カーテン５の横杆５１の上面部５１ａに固着した薄板状磁性体５３が、横杆３の溝部３ａに固着した金属製薄板材３１に吸着し、カーテン５を横杆３に設置することができる。
【００６０】
以下同様にして、複数のカーテン５，５，・・・を横杆３に設置すれば、図２１に示すように、区画枠体１２にカーテン５，５，・・・を設置して、カーテン５，５，・・・で区画した空間を画成することができる。
【００６１】
さらに、上記のようにして、区画枠体１２に仕切りパネル４，４，・・・を設置し、区画枠体１２の適宜部所において、横杆３の溝部３ａに固着した金属製薄板材３１に吊棚６の円盤状磁性体６４，６４を吸着させ、区画枠体１２の適宜部所にハンモック７の紐状体７１，７１を縛着すれば、図２１に示すように、仕切りパネル４，４，・・・、カーテン５，５，・・・で区画すると共に、吊棚６及びハンモック７を設置した空間を画成することができる。
【００６２】
一方、仕切りパネル４の側面部を把持し、前方にやや強く引いて傾斜させれば、仕切りパネル４の上面部に固着した薄板状磁性体４１が、横杆３の溝部３ａに固着した金属製薄板材３１から離反し、仕切りパネル４を横杆３から容易に脱出させることができる。
【００６３】
さらに、挿通ピン９，９を横杆３の挿通孔３３ｂ，３３ｂ及び連結金具８の挿通孔８２ｂ，８２ｂから脱出させ、支柱２，２，・・・と横杆３，３，・・・を離反させれば、区画枠体１２を容易に分解することができる。
【００６４】
以上のように、本発明の空間区画装置は、区画枠体１２を構成する支柱２、横杆３、仕切りパネル４、カーテン５、吊棚６等の構成部材として、木製材料という有機材料を使用したから、区画された空間内で使用者は暖かみや癒しを感じることができる。
【００６５】
又、横杆３の溝部３ａに金属製薄板材３１を固着し、仕切りパネル４、カーテン５の上面部に薄板状磁性体４１，５３を固着して、横杆３の金属製薄板材３１に仕切りパネル４の薄板状磁性体４１、カーテン５の薄板状磁性体５３を吸着させて設置するようにしたから、区画枠体１２を構成し、分解する作業の時間と労力を大幅に軽減することができる。
【００６６】
又、挿通ピン９，９を横杆３の挿通孔３３ｂ，３３ｂ及び連結金具８の挿通孔８２ｂ，８２ｂに挿通させ、支柱２，２，・・・と横杆３，３，・・・を連結させれば、区画枠体１１，１２，・・・を容易に構成でき、その逆の手順で、区画枠体１１，１２，・・・を容易に分解することができるから、区画枠体１１，１２，・・・を構成し、分解する作業の時間及び労力を大幅に軽減することができる。
【００６７】
さらに、本発明の空間区画装置は、仕切りパネル４のみならず、カーテン５、吊棚６、ハンモック７も設置できるようにしたから、区画された空間の雰囲気を種々変えて、面白みを与えることができると共に、区画された空間を多用途に使用することができる。
【００６８】
尚、上記実施形態においては、４本の支柱２と４本の横杆３とを連結した区画枠体の基本単位１を縦横に連結して種々形態の区画枠体１１，１２，・・・を構成する場合について説明したが、図２２に示すように、必ずしも、この基本単位１に捕らわれることなく、支柱２と横杆３とを適宜自由に連結して区画枠体を構成してもよい。
図２２に示すように、支柱２を適宜間引くと共に、支柱２Ａ，横杆３Ａとして長さ寸法の異なるものを使用してもよく、横杆３Ａ，３Ａ同士を長さ方向に直接連結するものとしてもよい。
又、連結部Ｉを図１５に示す連結構造とし、連結部IIを図１８に示す連結構造とするというように、適宜連結構造を採用してもよい。又、一部において、支柱２よりも横杆３を突設させる、いわゆる片持ち梁構造を採用してもよい。
【００６９】
又、支柱２の溝部２ａ、横杆３の溝部３ａ内に電気配線等を敷設すれば、電気配線等が溝部２ａ、溝部３ａ内に隠れて、使用者に殆ど見えないため、極めて見栄えがよいものとなる。又、電気配線等が使用者、設備品等に触れないため、安全であると共に、断線等を防止することもできる。
【００７０】
又、横杆３の溝部３ａに金属製薄板材３１を固着し、仕切りパネル４、カーテン５、吊棚６に薄板状磁性体４１，５３，円盤状磁性体６４を装備したが、その逆に、横杆３の溝部３ａに薄板状磁性体を固着し、仕切りパネル４、カーテン５、吊棚６に金属製薄板材を装備してもよい。又、両者を吸着する極性の磁性体を使用してもよい。
【００７１】
さらに、本発明の空間区画装置は、固定的に設置される建築物の一部ではなく、可搬性を有する家具又は装置と見做され、建築基準法の適用外のものとなることから、使用者が設置、撤去、レイアウト変更等、自由に、かつ、便利に使用することができる。
【符号の説明】
【００７２】
１  区画枠体の基本単位
１１，１２，１３Ａ，１３Ｂ，１４  区画枠体
２  支柱
３  横杆
２ａ  溝部
３ａ  溝部
３１  金属製薄板材
３２  挿入溝部
３３ａ  挿通孔
３３ｂ  挿通孔
４  仕切りパネル
４１  薄板状磁性体
５  カーテン
５１  横杆
５２  帯状体
５３  薄板状磁性体
６  吊棚
６１  棚体
６２  ワイヤー
６３  可動金具
６４  円盤状磁性体
７  ハンモック
８  連結金具
８２ａ  嵌合用切欠部
８２ｂ  挿通孔
９  挿通ピン
【図１】
0006566840.tif 000002
【図２】
0006566840.tif 000003
【図３】
0006566840.tif 000004
【図４】
0006566840.tif 000005
【図５】
0006566840.tif 000006
【図６】
0006566840.tif 000007
【図７】
0006566840.tif 000008
【図８】
0006566840.tif 000009
【図９】
0006566840.tif 000010
【図１０】
0006566840.tif 000011
【図１１】
0006566840.tif 000012
【図１２】
0006566840.tif 000013
【図１３】
0006566840.tif 000014
【図１４】
0006566840.tif 000015
【図１５】
0006566840.tif 000016
【図１６】
0006566840.tif 000017
【図１７】
0006566840.tif 000018
【図１８】
0006566840.tif 000019
【図１９】
0006566840.tif 000020
【図２０】
0006566840.tif 000021
【図２１】
0006566840.tif 000022
【図２２】
0006566840.tif 000023